(57)【要約】      （修正有）【課題】カメラ本体に取り付けられたストラップ用取り付け金具が不用意に外れることのないストラップ用取り付け金具を提供する。【解決手段】ピンに着脱可能なストラップ用取り付け金具であって、ストラップ取り付け部と、ピン取り付け部と、接続部とが形成された基板と、ストラップ取り付け部に回動可能に支持された回動部材と、回動部材にストラップ取り付け部を挟むように取り付けられ、回動部材と一体で回動可能な操作部材とを有し、ピン取り付け部と接続部には、ピンを装着するための第１の装着穴が形成され、回動部材は、ピンをロック状態とする第１の位置と、ピンをロック解除状態とする第２の位置との間を回動し、ストラップ取り付け部には、ストラップベルトを通すための第２の装着穴が形成され、回動部材が第２の位置に位置するときに、操作部材が第２の装着穴を覆う。【選択図】図７
2015075722.tif 000002
【特許請求の範囲】
【請求項１】
頭部と軸部を備えたピンに着脱可能なストラップ用取り付け金具であって、
ストラップ取り付け部と、ピン取り付け部と、前記ストラップ取り付け部と前記ピン取り付け部と交差して前記ストラップ取り付け部と前記ピン取り付け部とを接続する接続部とが形成された基板と、
一端が延伸した延伸部を備え、前記ストラップ取り付け部に回動可能に支持された回動部材と、
前記回動部材に前記ストラップ取り付け部を挟むように取り付けられ、前記回動部材と一体で回動可能な操作部材と、を有し、
前記ピン取り付け部と前記接続部には、前記ピンを装着するための第１の装着穴が形成され、
前記回動部材は、前記第１の装着穴を挿通した前記延伸部が前記ピンの前記頭部と当接することで前記ピンをロック状態とする第１の位置と、前記延伸部が前記第１の装着穴から退避することで前記ピンをロック解除状態とする第２の位置との間を回動し、
前記ストラップ取り付け部には、ストラップベルトを通すための第２の装着穴が形成され、
前記回動部材が前記第２の位置に位置するときに、前記操作部材が前記第２の装着穴を覆うことを特徴とするストラップ用取り付け金具。
【請求項２】
前記回動部材が前記第２の位置に位置するときに前記操作部材が前記第２の装着穴を覆う面積は、前記回動部材が前記第１の位置に位置するときに前記操作部材が前記第２の装着穴を覆う面積よりも大きいことを特徴とする請求項１に記載のストラップ用取り付け金具。
【請求項３】
前記操作部材は、前記回動部材と接続され、回動中心となる軸部と、ユーザーが前記操作部材を回転させるための操作部と、を有し、
前記操作部材の中心は、前記回動部材が前記第１の位置から前記第２の位置に回動すると前記操作部材が前記第２の装着穴に近づくように、前記回動中心に対してオフセットしていることを特徴とする請求項１または２に記載のストラップ用取り付け金具。
【請求項４】
前記ストラップベルトは、前記回動部材が前記第１の位置に位置するときに、前記第２の装着穴を挿通可能となることを特徴とする請求項１から３のいずれか１項に記載のストラップ用取り付け金具。
【請求項５】
前記基板には、前記ロック解除状態を示す指標が形成されており、
前記指標は、前記ロック解除状態では露出し、前記ロック状態では前記操作部に隠れることを特徴とする請求項１から４のいずれか１項に記載のストラップ用取り付け金具。
【請求項６】
前記操作部材は、前記操作部から一端が延伸した突出部を有することを特徴とする請求項１から５のいずれか１項に記載のストラップ用取り付け金具。
【請求項７】
前記第１の装着穴は、前記頭部の径より小さい小径穴と、前記小径穴に連続し前記頭部を挿通させる大径穴とから形成されており、
前記回動部材の回転中心位置は、前記小径穴と前記大径穴の中心位置を結ぶ中心線上からずれた位置に設定されることを特徴とする請求項１から６のいずれか１項に記載のストラップ用取り付け金具。
【請求項８】
前記回動部材は、第１の方向へ回動することで、前記第１の位置から前記第２の位置に回動し、前記接続部と当接することで、前記第２の位置からさらに前記第１の方向へ回動することを防ぐことを特徴とする請求項１から７のいずれか１項に記載のストラップ用取り付け金具。
【請求項９】
前記回動部材は、前記第１の方向と反対方向である第２の方向へ回動することで、前記第２の位置から前記第１の位置に回動し、前記第１の装着穴の端部と当接することで、前記第１の位置からさらに前記第２の方向へ回動することを防ぐことを特徴とする請求項１から８のいずれか１項に記載のストラップ用取り付け金具。
【請求項１０】
請求項１から９のいずれか１項に記載のストラップ用取り付け金具を有することを特徴とする電子機器。
【発明の詳細な説明】
【技術分野】
【０００１】
本発明は、カメラなどのポータブル機器にストラップを着脱可能なストラップ用取り付け金具に関する。
【背景技術】
【０００２】
カメラなどのポータブル機器は、その持ち運びを容易にするために、ショルダベルトなどのストラップベルトを着脱可能に取り付けて携行するようになっている。
【０００３】
例えば、一般的なカメラ本体には、両側面上部に長方形の長孔を有するストラップ用取り付け金具が固定されている。ストラップベルトの一端は、一方の取り付け金具の長穴に挿通され、ストラップベルトの先端をまとめるための口輪に通された後、日の字環と呼ばれる格子部材に通して固定される。ストラップベルトの他端についても同様に、他方の取り付け金具に取り付けることで、両吊りのショルダベルトとすることができる。また、ストラップベルトを取り外すときには、取り付け作業とは逆にストラップベルトを日の字環、口輪の順に抜く作業を行う。
【０００４】
特許文献１では、カメラ本体から突出した頭部と軸部とからなるピンに対して、ストラップを簡単な方法で着脱可能とするストラップ用取り付け金具が開示されている。特許文献１に記載のストラップ用取り付け金具は、ストラップベルトが取り付けられた基板と、支持手段によって基板上を回動可能に支持された回転体と、を有している。基板および回転体には、ピンの軸部に対応する径で頭部の径より小径の小径穴と、ピンの頭部を挿通させる大径穴が連続して形成されている。また、回転体は、取り付け板の小径穴を中心として回動可能に支持されている。
【先行技術文献】
【特許文献】
【０００５】
【特許文献１】特開平９−１４０４３９号公報
【発明の概要】
【発明が解決しようとする課題】
【０００６】
特許文献１に記載のストラップ用取り付け金具では、カメラ本体にストラップ用取り付け金具を取り付ける場合、基板と回転体の穴が一致した状態で、カメラ本体のピンに貫通させる。その後、回転体を回転させ、大径穴が互いにずれる状態とすることで、ストラップ用取り付け金具がカメラ本体のピンから抜けなくなる。
【０００７】
特許文献１では、回転体が不用意に回転して、基板と回転体の穴が一致した状態となると、ストラップ用取り付け金具がカメラ本体のピンから脱落するおそれがある。
【０００８】
このような課題を鑑みて、本発明は、カメラ本体に取り付けられたストラップ用取り付け金具が不用意に外れることのないストラップ用取り付け金具を提供することを目的とする。
【課題を解決するための手段】
【０００９】
本発明の一側面としてのストラップ用取り付け金具は、頭部と軸部を備えたピンに着脱可能なストラップ用取り付け金具であって、ストラップ取り付け部と、ピン取り付け部と、前記ストラップ取り付け部と前記ピン取り付け部と交差して前記ストラップ取り付け部と前記ピン取り付け部とを接続する接続部とが形成された基板と、一端が延伸した延伸部を備え、前記ストラップ取り付け部に回動可能に支持された回動部材と、前記回動部材に前記ストラップ取り付け部を挟むように取り付けられ、前記回動部材と一体で回動可能な操作部材と、を有し、前記ピン取り付け部と前記接続部には、前記ピンを装着するための第１の装着穴が形成され、前記回動部材は、前記第１の装着穴を挿通した前記延伸部が前記ピンの前記頭部と当接することで前記ピンをロック状態とする第１の位置と、前記延伸部が前記第１の装着穴から退避することで前記ピンをロック解除状態とする第２の位置との間を回動し、前記ストラップ取り付け部には、ストラップベルトを通すための第２の装着穴が形成され、前記回動部材が前記第２の位置に位置するときに、前記操作部材が前記第２の装着穴を覆うことを特徴とする。
【発明の効果】
【００１０】
本発明によれば、カメラ本体に取り付けられたストラップ用取り付け金具が不用意に外れることのないストラップ用取り付け金具を提供することができる。
【図面の簡単な説明】
【００１１】
【図１】本発明の実施形態に係るストラップユニットが取り付けられたカメラの外観図である。
【図２】ストラップユニットを取り外したカメラの外観図である。
【図３】カメラに設けられたストラップピン取り付け部の分解斜視図である。
【図４】ストラップ用取り付け金具がカメラに取り付けられた状態を表す部分拡大図である。
【図５】ストラップ用取り付け金具の分解斜視図である。
【図６】ベース板金の正面図である。
【図７】ロック解除状態であるストラップ用取り付け金具の外観図である。
【図８】ロック状態であるストラップ用取り付け金具の外観図である。
【図９】カメラとストラップベルトの取り付け時の状態を表す斜視図である。
【図１０】カメラとストラップベルトの取り付け時の状態を表す要部の斜視図である。
【発明を実施するための形態】
【００１２】
以下に、本発明の好ましい実施の形態を、添付の図面に基づいて詳細に説明する。各図において、同一の部材については同一の参照符号を付し、重複する説明は省略する。
【００１３】
図１は、本発明の実施形態に係るストラップユニットが取り付けられたカメラ２の外観図である。（ａ）は斜視図、（ｂ）は側面図、（ｃ）は正面図、（ｄ）は（ａ）の状態からストラップユニットを回転させた状態の斜視図である。図２は、ストラップユニットを取り外した状態のカメラ２の外観図である。
【００１４】
ストラップユニットは、ストラップベルト１０に、カメラ（電子機器）２の左右側面に設けられたストラップピン２０と着脱可能なストラップ用取り付け金具（以下、取り付け金具という）１１が取り付けられたものである。ベルト１０１を取り付け金具１１の上部に形成された長孔に挿通し、ベルト１０１の先端をまとめるための口輪１０３に通した後、格子部材１０２に通して固定することで、ストラップベルト１０と取り付け金具１１が取り付けられる。ストラップユニットをカメラ２に取り付けた状態で、取り付け金具１１はストラップピン２０を中心に回動するため、図１（ｄ）に示すように、ストラップベルト１０を吊り下げ方向に追随して移動させることができる。
【００１５】
図３は、カメラ２に設けられたストラップピン取り付け部の分解斜視図である。ストラップピン取り付け部は、カメラ２から露出したストラップピン２０と、ストラップピン２０をカメラ２に接続するベース部材２１と、ストラップピン２０とベース部材２１を締結するビス２２で構成されている。
【００１６】
ストラップピン２０は、頭部２０１、軸部２０２、座面２０３および取り付け部２０４から構成されている。取り付け部２０４の中央にはメネジが切られており、その一端は回転止め用にＤカットされている。ストラップピン２０は、取り付け部２０４をベース部材２１の対応する凹部に挿入し、ベース部材２１を挟んで、裏側からビス２２によって締結されている。これにより、ベース部材２１がカメラ２に強固に取り付けられ、カメラ２から露出したストラップピン２０もカメラ２に対して強固に取り付けられる。
【００１７】
このように、ストラップピン２０とベース部材２１を別部材とし、ストラップピン２０がベース部材２１を介してカメラ２に固定される方式とすることで、ストラップピン２０の形状を簡素な形状とすることができる。ストラップピン２０の形状を簡素にすることができるため、材質をステンレス鋼などの硬い金属にて形成することが簡単になる。本実施形態では、ストラップピン２０はステンレス鋼を切削して作成されており、ストラップピン２０とストラップユニットの板金が摺動する場合でもキズが付きにくい構成とすることができる。なお、ベース部材２１は、ステンレス鋼より比較的弱いが、加工性の良い亜鉛ダイキャストで作成されている。
【００１８】
次に、取り付け金具１１について説明を行う。図４は、取り付け金具１１がカメラ２に取り付けられた状態を表す部分拡大図である。
【００１９】
取り付け金具１１は、ストラップピン２０に、回動可能な状態で着脱可能となっている。カメラにストラップベルトを取り付ける場合、図４に示すように取り付け金具１１をストラップピン２０に装着した後、取り付け金具１１に対してストラップベルト１０の装着を行う。前述したように、ベルト１０１を取り付け金具１１の上部に形成された長孔１１１１に挿通し、ベルト１０１の先端をまとめるための口輪１０３に通した後、格子部材１０２に通して固定することで、ストラップベルト１０と取り付け金具１１が取り付けられる。
【００２０】
図５は、取り付け金具１１の分解斜視図である。（ａ）は表面側から、（ｂ）は裏面側から見た斜視図である。本実施形態における表面とはストラップピン２０にストラップユニットを取り付けた際に、カメラ２から遠ざかる側の面のことをいい、裏面とはその反対側の面のことをいう。
【００２１】
取り付け金具１１は、操作部材１１０、ベース板金（基板）１１１、回動部材１１４、締結ワッシャ１１５で構成されている。ベース板金１１１と操作部材１１０は、ステンレス鋼などの金属で、回動部材１１４は摺動性の高いポリオキシメチレン（ＰＯＭ）等のモールド部材で形成されている。
【００２２】
本実施形態の取り付け金具１１は、以下の手順で組み立てられる。まず、回動部材１１４の回動軸部１１４１がベース板金１１１の開口部１１１２に挿入される。次に、操作部材１１０の小径軸部１１０６が回動部材１１４の開口部１１４７に挿入される。最後に、締結ワッシャ１１５にて操作部材１１０と回動部材１１４を締結する。本実施形態において一体として取り付けられている操作部材１１０と回動部材１１４は、ベース板金１１１に対して９０°の回動が可能となっている。
【００２３】
操作部材１１０は、大径頭部（操作部）１１０１と、小径軸部（軸部）１１０６で構成されている。
【００２４】
大径頭部１１０１には、ユーザーによる操作時の指係りとなる半径方向に向けて突出した突出部１１０２が形成されている。ユーザーは、突出部１１０２によって操作部材１１０の回動中心から離れた位置を操作することが可能となり、より軽い荷重で容易な操作が可能となる。
【００２５】
小径軸部１１０６は、回動部材１１４との位置決めのため、Ｄ形状となっている。また、小径軸部１１０６の一部には、締結ワッシャ１１５の厚さよりわずかに広いスリット１１０３が形成されている。
【００２６】
回動部材１１４は、一部が回転中心から半径方向に伸びたカム形状となっており、操作部材１１０と一体となって、ベース板金１１１に対して回動自在に支持されている。
【００２７】
回動軸部１１４１は、ベース板金１１１の回転中心を構成する開口部１１１２より少し小さい径となっており、中央に開口部１１４７が設けられた筒状の形状を有している。開口部１１４７は、操作部材１１０と回動部材１１４の位置を決めるために、操作部材１１０の小径軸部１１０６に対応するＤ形状となっている。
【００２８】
また、回動部材１１４には、回動中心から半径方向にずれた位置に形成された凸部１１４２と、一端が回動中心から半径方向に延伸したロック部（延伸部）１１４６が設けられている。さらに、回動部材１１４には、ロック部１１４６から９０度ずれた位置に円弧上の逃げ形状１１４８とストッパ形状１１４９が設けられている。
【００２９】
ベース板金１１１について、図６を用いて説明する。図６は、ベース板金１１１の正面図である。
【００３０】
ベース板金１１１を側面から見ると、上下の段が平行なクランク形状となっている。本実施形態では、カメラ２の装着時に、カメラ２に近づく側を下段部（ピン取り付け部）、カメラ２から遠ざかる側を上段部（ストラップ取り付け部）として説明する。また、ベース板金１１１には、上段部および下段部と交差して、上段部と下段部とを接続する接続部が形成される。上段部の内側から下段部の外側までの寸法が、ストラップピン２０の座面２０３から頭部２０１の先端までの長さよりわずかに大きくなるように、接続部は上段部と下段部と接続する。
【００３１】
ベルト１０１をベース板金１１１に取り付けるため、図１に示すように、ベルト１０１をベース板金１１１の長孔１１１１に通した後、１８０度折り返す必要がある。そのため、長孔１１１１周辺にて、ベルト１０１の折り返しによるふくらみが発生する。しかし、ベース板金１１１は、断面がクランク形状となっているため、この折り返しによるふくらみがベース板金１１１の上段部の内側から下段部の外側までの寸法内に収まるようになっている。これにより、図１（ｄ）に示すように、取り付け金具１１が１８０度回転した状態でも、ベルト１０１の折り返しがカメラ２に干渉することはない。
【００３２】
ベース板金１１１の下段部には、カメラ２のストラップピン２０を挿通させるための装着穴（第１の装着穴）が設けられている。装着穴には、ストラップピン２０の軸部２０２に対応した小径穴１１１３と、ストラップピン２０の頭部２０１を挿通させる大径穴１１１４が形成されている。大径穴１１１４は、小径穴１１１３に連続しており、接続部にまで及んでいる。
【００３３】
ベース板金１１１の上段部には、操作部材１１０と回動部材１１４を回動自在に保持し、操作部材１１０と回動部材１１４の回転中心を構成する開口部１１１２が設けられている。
【００３４】
開口部１１１２、すなわち、回動部材１１４の回転中心位置は、取り付け金具１１の回転中心位置から距離Ｄだけオフセットしている。取り付け金具１１の回転中心位置は、小径穴１１１３と大径穴１１１４の中心位置を結ぶ中心線上にある。すなわち、回動部材１１４の回転中心位置は小径穴１１１３と大径穴１１１４の中心位置を結ぶ中心線上からずれた位置に設定される。これにより、ロック部１１４６は、ベース板金１１１と干渉なく９０度の回動が可能でありながら、回動部材１１４の回動中心位置に近いベース板金１１１の大径穴１１１４の端面と当接する構成となっている。
【００３５】
本実施形態では、回動中心を構成する開口部１１１２をオフセットさせることで、広くなった領域に、操作状態を表す指標１１１７を設けている。指標１１１７は、取り付け金具１１の脱着可否の状態をユーザーに伝えることができる。
【００３６】
次に、取り付け金具１１の動作について図７および図８を用いて説明を行う。
【００３７】
図７はロック解除状態である取り付け金具１１の外観図であり、図８はロック状態である取り付け金具１１の外観図である。図７および図８の（ａ）は表面側から見た斜視図、（ｂ）は裏面側から見た斜視図である。
【００３８】
取り付け金具１１は、ユーザーが操作部材１１０を操作することによって、操作部材１１０と回動部材１１４が一体となってベース板金１１１に対して回動する。このとき、回動部材１１４は、ストラップピン２０に対してロック状態（図８）となる第１の位置と、ストラップピン２０に対してロック解除状態（図７）となる第２の位置との間を回動する。
【００３９】
本実施形態では、大径頭部１１０１の中心は、小径軸部１１０６の中心に対してシフトしている。操作部材１１０の回動中心は図６に示すベース板金１１１の回動中心を構成する開口部１１１２の中心となっており、大径頭部１１０１の中心は図８（ａ）に示されるように、ベース板金１１１の中心線上に位置する。
【００４０】
このように、大径頭部１１０１の中心を小径軸部１１０６の中心に対してシフトさせることで、操作部材１１０の回動に伴って、大径頭部１１０１の中心の位置が変化する。本実施形態の取り付け金具１１では、図７（ａ）に示されるロック解除状態で大径頭部１１０１がベース板金１１１に形成された長孔１１１１を覆うようオフセットされている。
【００４１】
また、ベース板金１１１には、操作状態を表す指標１１１７が、図７に示されるロック解除状態でのみ視認可能となるように配置している。すなわち、図８に示されるロック状態では、操作状態を表す指標１１１７は、大径頭部１１０１に隠れ、視認できない。
【００４２】
このように、図７に示されるロック解除状態でのみ、ベース板金１１１に設けられた操作状態を表す指標１１１７の視認が可能となることで、取り付け金具１１がロック状態であるか、ロック解除状態であるかを確実に伝えることができる。
【００４３】
開口部１１１２の周囲には、互いに位置が９０度ずれた一対の半抜き形状１１１０ａ、１１１０ｂが形成されている。一対の半抜き形状１１１０ａ、１１１０ｂは、操作部材１１０側が凸形状、回動部材１１４側が凹形状となるように形成されている。
【００４４】
一対の半抜き形状１１１０ａ、１１１０ｂの操作部材１１０側の凸形状は、操作部材１１０の摺動面を構成している。これにより、ベース板金１１１と操作部材１１０との摺動面が広い面とならないので操作部材１１０の動作時の摩擦力の低減に繋がり、操作部材１１０の操作性が良好となる。
【００４５】
一対の半抜き形状１１１０ａ、１１１０ｂの回動部材１１４側の凹形状は、ロック解除状態およびロック状態の位置でクリックを発生させる。取り付け金具１１のクリック機構では、回動部材１１４に設けられた凸部１１４２がベース板金１１１の凹形状に落ち込むことで、ベース板金１１１に対する回動部材１１４は図７と図８に示される位置に保持される。本実施形態におけるクリックは、軽い荷重に設定されているため、ユーザーが容易に操作できるようになっている。
【００４６】
このように、一対の半抜き形状１１１０ａ、１１１０ｂは、操作部材１１０側の凸形状と回動部材１１４側の凹形状にそれぞれの役割を持たせることで、ベース板金１１１に設ける形状を単純にすることができる。そのため、加工工数削減によるコストダウンと、取り付け金具１１の小型化が可能となる。
【００４７】
次に、取り付け金具１１の装着時におけるユーザーの操作について、図９を用いて説明する。図９は、カメラ２とストラップベルト１０の取り付け時の状態を表す斜視図である。
【００４８】
まず、ストラップピン２０に取り付け金具１１を装着させる際、ユーザーは、まず操作部材１１０を操作し、ロック部１１４６をベース板金１１１の装着穴から退避させることで取り付け金具１１をロック解除状態とする。このときの操作部材１１０の操作方向を第２の方向とする。
【００４９】
操作部材１１０をロック解除状態からさらに第２の方向へ回動させようとすると、図７（ｂ）に示されるように、回動部材１１４に形成されたストッパ形状１１４９がベース板金１１１の上段部と下段部とを接続する接続部と突き当たる。そのため、回動部材１１４の回動が規制される。
【００５０】
次に、ベース板金１１１の大径穴１１１４にストラップピンの頭部２０１を通過させ、そのまま回動部材１１４に突き当てた状態まで水平に移動させる。その後、取り付け金具１１を下方向に移動させる。このとき、ストラップピン２０の軸部２０２がベース板金１１１の小径穴１１１３に挿入され、ベース板金１１１がストラップピン２０の頭部２０１と座面２０３の間に挟み込まれる。
【００５１】
この状態で操作部材１１０を第２の方向と反対方向である第１の方向へ９０度回転させることで、回動部材１１４のロック部１１４６とストラップピン２０の頭部２０１が当接し、取り付け金具１１をロック状態にする。
【００５２】
操作部材１１０をロック状態からさらに第１の方向へ回動させようとすると、図８（ｂ）に示されるように、回動部材１１４の側面がベース板金１１１の大径穴１１１４の端部と突き当たり、回動部材１１４の回動が規制される。
【００５３】
その後、前述した方法で、ストラップベルト１０をベース板金１１１に形成された長孔１１１１に装着することで、カメラ２へのストラップベルト１０の装着が完了する。
【００５４】
図１０は、カメラ２とストラップベルト１０の取り付け時の状態を表す要部の斜視図である。
【００５５】
本実施形態では、操作部材１１０のユーザーによる操作が容易に行えるように、クリック機構によって発生する保持力を小さく設定している。しかしながら、保持力が小さいと、取り付け金具１１が外れやすくなっているため、カメラ２が落下してしまう等の問題が発生する可能性がある。
【００５６】
図７および図８に示されるように、本実施形態の取り付け金具１１がロック解除状態からロック状態に移行することで、ベース板金１１１に形成された長孔１１１１は操作部材１１０に覆われた状態からストラップベルト１０を挿通可能な状態となる。逆に、ロック状態からロック解除状態に移行する際には、長孔１１１１が操作部材１１０に覆われていく。すなわち、回動部材１１４がロック解除状態であるときに操作部材１１０が長孔１１１１を覆う面積は、回動部材１１４がロック状態であるときに操作部材１１０が長孔１１１１を覆う面積よりも大きくなっている。これにより、ストラップベルト１０が取り付け金具１１に装着されている状態では、ロック状態への操作部材１１０の動作が妨げられる。
【００５７】
そのため、本実施形態の取り付け金具１１は、操作部材１１０の操作力であるクリック力を小さくし、カメラ２への着脱時の操作性を向上させても、取り付け金具１１がカメラ２から不用意に外れることはない。
【００５８】
本実施形態では、大径頭部１１０１を小径軸部１１０６に対してシフトさせ、ロック状態からロック解除状態への動作軌跡で大径頭部１１０１を大きく移動させることで、ベース板金１１１に形成された長孔１１１１をより効果的に覆うことができる。
【００５９】
以上より、操作部材１１０のユーザーによる操作が容易に行えるようにクリック機構によって発生する保持力を小さくしても、本実施形態の取り付け金具１１はストラップベルト１０を装着した状態では不用意に外れることがない。
【００６０】
また、ストラップベルト１０が不要な場合には、ストラップ取り付け部を容易に取り外すことが可能なため、カメラ２のグリップ性を向上させることができる。
【００６１】
以上、本発明の好ましい実施形態について説明したが、本発明はこれらの実施形態に限定されず、その要旨の範囲内で種々の変形及び変更が可能である。
【符号の説明】
【００６２】
１０      ストラップベルト
１１      ストラップ用取り付け金具
１１０    操作部材
１１１    ベース板金
１１１１  長孔（第２の装着穴）
１１１３  小径穴
１１１４  大径穴
１１４    回動部材
１１４６  延伸部
２０      ストラップピン
２０１    頭部
２０２    軸部
【図１】
2015075722.tif 000003
【図２】
2015075722.tif 000004
【図３】
2015075722.tif 000005
【図４】
2015075722.tif 000006
【図５】
2015075722.tif 000007
【図６】
2015075722.tif 000008
【図７】
2015075722.tif 000009
【図８】
2015075722.tif 000010
【図９】
2015075722.tif 000011
【図１０】
2015075722.tif 000012